(57)【要約】【課題】  内線であるＩＰ電話機への外部からの着信をインタネットブラウザ上の操作によって外線着信サービスを行うことが可能なＩＰ電話システムを提供する。【解決手段】  ＰＣ２１はＷＥＢサーバ５に接続するためのＵＲＬを入力して参照要求が行うと、ＷＥＢサーバ５はＰＢＸ１のＩＰ電話情報記憶装置１３からＩＰ電話機３１〜３３の使用者名称や部門名の名称データとＤＨＣＰサーバ５が付与したローカルＩＰアドレスとを読出してＰＣ２１に送出する。ＰＣ２１は転送されてきたデータをインタネットブラウザ上に表示し、接続したいＩＰ電話機３１〜３３の使用者名称や部門名を指定する。そのＩＰ電話機３１〜３３への接続要求はＰＣ２１からＷＥＢサーバ５に送信され、ＰＣ２１ではＩＰ電話ソフトウェアのアプリケーションが起動される。【選択図】      図１                                                  
2005033662.tif 000002
【特許請求の範囲】
【請求項１】
ＩＰ（Ｉｎｔｅｒｎｅｔ  Ｐｒｏｔｏｃｏｌ）を用いて通話を行うＩＰ電話機をＩＰネットワークに接続するＩＰ電話システムであって、
前記ＩＰ電話機の少なくとも名称情報を蓄積する手段と、前記ＩＰネットワークから前記ＩＰ電話機への接続要求の受信時に前記ＩＰネットワークに対して前記名称情報を公開する手段とを有することを特徴とするＩＰ電話システム。
【請求項２】
ＩＰ（Ｉｎｔｅｒｎｅｔ  Ｐｒｏｔｏｃｏｌ）を用いて通話を行うＩＰ電話機を構内交換機を介してＩＰネットワークに接続するＩＰ電話システムであって、前記ＩＰ電話機の少なくとも名称情報を蓄積する手段と、前記ＩＰネットワークから前記ＩＰ電話機への接続要求の受信時に前記ＩＰネットワークに対して前記名称情報を公開する手段とを前記構内交換機に有することを特徴とするＩＰ電話システム。
【請求項３】
前記構内交換機は、音声交換処理を行うスイッチング手段と、前記ＩＰネットワークと接続する第１のルータを収容する手段と、前記ＩＰ電話機を接続する第２のルータを収容する手段と、前記ＩＰ電話機のログイン時に当該ＩＰ電話機の認証を行う手段とを含み、
前記名称情報を蓄積する手段は、ログインしたＩＰ電話機の名称情報を蓄積することを特徴とする請求項２記載のＩＰ電話システム。
【請求項４】
前記名称情報を公開する手段は、前記ＩＰネットワークからの接続要求に対して応答する手段と、その接続要求に対して前記名称情報を蓄積する手段から前記ログインしたＩＰ電話機の名称情報を返信する手段とを含むことを特徴とする請求項３記載のＩＰ電話システム。
【請求項５】
前記スイッチング手段は、前記ＩＰ電話機の接続手段を含むことを特徴とする請求項３または請求項４記載のＩＰ電話システム。
【請求項６】
前記スイッチング手段は、前記ＩＰネットワークからの接続要求に対してグローバルＩＰアドレスを返送する手段を含むことを特徴とする請求項３から請求項５のいずれか記載のＩＰ電話システム。
【請求項７】
ＩＰ（Ｉｎｔｅｒｎｅｔ  Ｐｒｏｔｏｃｏｌ）を用いて通話を行うＩＰ電話機をＩＰネットワークに接続するための構内交換機であって、前記ＩＰ電話機の少なくとも名称情報を蓄積する手段と、前記ＩＰネットワークから前記ＩＰ電話機への接続要求の受信時に前記ＩＰネットワークに対して前記名称情報を公開する手段とを有することを特徴とする構内交換機。
【請求項８】
前記構内交換機は、音声交換処理を行うスイッチング手段と、前記ＩＰネットワークと接続する第１のルータを収容する手段と、前記ＩＰ電話機を接続する第２のルータを収容する手段と、前記ＩＰ電話機のログイン時に当該ＩＰ電話機の認証を行う手段とを含み、
前記名称情報を蓄積する手段は、ログインしたＩＰ電話機の名称情報を蓄積することを特徴とする請求項７記載の構内交換機。
【請求項９】
前記名称情報を公開する手段は、前記ＩＰネットワークからの接続要求に対して応答する手段と、その接続要求に対して前記名称情報を蓄積する手段から前記ログインしたＩＰ電話機の名称情報を返信する手段とを含むことを特徴とする請求項８記載の構内交換機。
【請求項１０】
前記スイッチング手段は、前記ＩＰ電話機の接続手段を含むことを特徴とする請求項８または請求項９記載の構内交換機。
【請求項１１】
前記スイッチング手段は、前記ＩＰネットワークからの接続要求に対してグローバルＩＰアドレスを返送する手段を含むことを特徴とする請求項８から請求項１０のいずれか記載の構内交換機。
【請求項１２】
ＩＰ（Ｉｎｔｅｒｎｅｔ  Ｐｒｏｔｏｃｏｌ）を用いて通話を行うＩＰ電話機をＩＰネットワークに接続するＩＰ電話システムのＩＰ電話機接続方法であって、前記ＩＰネットワークから前記ＩＰ電話機への接続要求の受信時に前記ＩＰ電話機の少なくとも名称情報を蓄積する手段から読出した前記名称情報を前記ＩＰネットワークに対して公開するステップを有することを特徴とするＩＰ電話機接続方法。
【請求項１３】
ＩＰ（Ｉｎｔｅｒｎｅｔ  Ｐｒｏｔｏｃｏｌ）を用いて通話を行うＩＰ電話機を構内交換機を介してＩＰネットワークに接続するＩＰ電話システムであって、前記構内交換機側に、前記ＩＰネットワークから前記ＩＰ電話機への接続要求の受信時に前記ＩＰ電話機の少なくとも名称情報を蓄積する手段から前記名称情報を読出して前記ＩＰネットワークに対して公開するステップを有することを特徴とするＩＰ電話機接続方法。
【請求項１４】
前記構内交換機に、音声交換処理を行うスイッチング手段と、前記ＩＰネットワークと接続する第１のルータを収容する手段と、前記ＩＰ電話機を接続する第２のルータを収容する手段と、前記ＩＰ電話機のログイン時に当該ＩＰ電話機の認証を行う手段とを含み、
前記名称情報を蓄積するステップは、ログインしたＩＰ電話機の名称情報を蓄積することを特徴とする請求項１３記載のＩＰ電話機接続方法。
【請求項１５】
前記名称情報を公開するステップは、前記ＩＰネットワークからの接続要求に対して応答し、その接続要求に対して前記名称情報を蓄積する手段から前記ログインしたＩＰ電話機の名称情報を返信することを特徴とする請求項１４記載のＩＰ電話機接続方法。
【請求項１６】
前記スイッチング手段は、前記ＩＰ電話機の接続手段を含むことを特徴とする請求項１４または請求項１５記載のＩＰ電話機接続方法。
【請求項１７】
前記スイッチング手段は、前記ＩＰネットワークからの接続要求に対してグローバルＩＰアドレスを返送する手段を含むことを特徴とする請求項３から請求項５のいずれか記載のＩＰ電話機接続方法。
【発明の詳細な説明】
【技術分野】
【０００１】
本発明はＩＰ電話システム、構内交換機及びそれらに用いるＩＰ電話機接続方法に関し、特にＩＰ（Ｉｎｔｅｒｎｅｔ  Ｐｒｏｔｏｃｏｌ）を用いて電話サービスを提供するためのＩＰ電話システムに関する。
【背景技術】
【０００２】
従来、一般電話網を用いる電話システムの外線着信方法においては、ダイヤルインサービスや代表着信させた中継台からの転送で対応してきている。また、ＩＰ電話機を使用可能としたＩＰ電話システムにおいては、ＩＰ電話機に対しての外線着信に対して、上記の電話システムの外線着信方法と同様な技術で対応してきている。
【０００３】
したがって、従来のＩＰ電話システムでは、外線から内線に接続を行う場合、例えばテレビ電話等のデータ通信による接続の場合でも、まず音声発信を行い、接続が完了してからデータ通信に切替える必要がある。
【０００４】
この問題を解決する方法としては、基本的に片方向通信であるクライアント端末の閲覧ソフトウェアでホームページを閲覧しながら、自動的に一般電話網の電話機と通話を確立して双方向リアルタイム音声通信を行う方法が提案されている（例えば、特許文献１参照）。
【０００５】
【特許文献１】特許第３２６３３３９号公報（第７〜９頁、図４）
【発明の開示】
【発明が解決しようとする課題】
【０００６】
上述した従来のＩＰ電話システムでは、アドレス情報として３２ｂｉｔで表現されるＩＰｖ４（ＩＰ  ｖｅｒｓｉｏｎ  ４）が用いられているが、このＩＰｖ４ではグローバルＩＰアドレスが不足するため、使用するＩＰ電話機全てに対してグローバルＩＰアドレスを付与することが困難であるという問題がある。
【０００７】
また、従来のＩＰ電話システムでは、便宜上、内線番号が必要なため、従来の電話システムの電話機に対して付与していた内線番号と同様に、ＩＰ電話機にも内線番号を付与せざるを得ないという問題がある。
【０００８】
さらに、従来のＩＰ電話システムでは、便宜上、内線番号が必要なため、サーバ上等に管理される電話帳を利用してクライアント端末の閲覧ソフトウェアから接続を行うシステムの場合、ＩＰ電話機の内線番号が変わると、その電話帳の編集をその都度行わなければならないという問題がある。
【０００９】
さらにまた、従来のＩＰ電話システムでは、上記の特許文献１に記載のように、クライアント端末の閲覧ソフトウェアから一般電話網の電話機に接続する場合でも、その電話機それぞれにグローバルＩＰアドレスを付与する必要があり、使用するＩＰ電話機全てに対してグローバルＩＰアドレスを付与することが困難であるという問題がある。
【００１０】
そこで、本発明の目的は上記の問題点を解消し、内線であるＩＰ電話機への外部からの着信をインタネットブラウザ上の操作によって外線着信サービスを行うことができるＩＰ電話システム、構内交換機及びそれらに用いるＩＰ電話機接続方法を提供することにある。
【課題を解決するための手段】
【００１１】
本発明によるＩＰ電話システムは、ＩＰ（Ｉｎｔｅｒｎｅｔ  Ｐｒｏｔｏｃｏｌ）を用いて通話を行うＩＰ電話機をＩＰネットワークに接続するＩＰ電話システムであって、
前記ＩＰ電話機の少なくとも名称情報を蓄積する手段と、前記ＩＰネットワークから前記ＩＰ電話機への接続要求の受信時に前記ＩＰネットワークに対して前記名称情報を公開する手段とを備えている。
【００１２】
本発明による他のＩＰ電話システムは、ＩＰ（Ｉｎｔｅｒｎｅｔ  Ｐｒｏｔｏｃｏｌ）を用いて通話を行うＩＰ電話機を構内交換機を介してＩＰネットワークに接続するＩＰ電話システムであって、前記ＩＰ電話機の少なくとも名称情報を蓄積する手段と、前記ＩＰネットワークから前記ＩＰ電話機への接続要求の受信時に前記ＩＰネットワークに対して前記名称情報を公開する手段とを前記構内交換機に備えている。
【００１３】
本発明による構内交換機は、ＩＰ（Ｉｎｔｅｒｎｅｔ  Ｐｒｏｔｏｃｏｌ）を用いて通話を行うＩＰ電話機をＩＰネットワークに接続するための構内交換機であって、前記ＩＰ電話機の少なくとも名称情報を蓄積する手段と、前記ＩＰネットワークから前記ＩＰ電話機への接続要求の受信時に前記ＩＰネットワークに対して前記名称情報を公開する手段とを備えている。
【００１４】
本発明によるＩＰ電話機接続方法は、ＩＰ（Ｉｎｔｅｒｎｅｔ  Ｐｒｏｔｏｃｏｌ）を用いて通話を行うＩＰ電話機をＩＰネットワークに接続するＩＰ電話システムのＩＰ電話機接続方法であって、前記ＩＰネットワークから前記ＩＰ電話機への接続要求の受信時に前記ＩＰ電話機の少なくとも名称情報を蓄積する手段から読出した前記名称情報を前記ＩＰネットワークに対して公開するステップを備えている。
【００１５】
本発明による他のＩＰ電話機接続方法は、ＩＰ（Ｉｎｔｅｒｎｅｔ  Ｐｒｏｔｏｃｏｌ）を用いて通話を行うＩＰ電話機を構内交換機を介してＩＰネットワークに接続するＩＰ電話システムであって、前記構内交換機側に、前記ＩＰネットワークから前記ＩＰ電話機への接続要求の受信時に前記ＩＰ電話機の少なくとも名称情報を蓄積する手段から前記名称情報を読出して前記ＩＰネットワークに対して公開するステップを備えている。
【００１６】
すなわち、本発明のＩＰ（Ｉｎｔｅｒｎｅｔ  Ｐｒｏｔｏｃｏｌ）電話システムは、従来の電話システムのダイヤルインサービスや代表着信させた中継台からの転送で対応してきた外線着信サービスを、ＩＰネットワークに接続されたルータ（Ｒｏｕｔｅｒ）に収容される情報端末（例えば、パーソナルコンピュータ）のインタネットブラウザ（閲覧ソフトウェア）上の操作で行えるように動作している。
【００１７】
より具体的に説明すると、本発明のＩＰ電話システムでは、従来の音声交換処理技術のスイッチング手段を備えるＰＢＸ（Ｐｒｉｖａｔｅ  Ｂｒａｎｃｈ  ｅＸｃｈａｎｇｅ：構内交換機）に、ＩＰネットワークに接続する第１のルータを収容する手段と、ＩＰ電話機を接続する第２のルータを収容する手段と、そのＩＰ電話機がＬＡＮ（Ｌｏｃａｌ  Ａｒｅａ  Ｎｅｔｗｏｒｋ）にログインすることを認証する手段と、ＬＡＮにログインしたＩＰ電話の名称情報を第１のルータを介して外部ＩＰネットワークに公開する手段と、ＩＰ電話の名称情報を記憶する第１の記憶装置とを備えている。
【００１８】
この構成において、本発明のＩＰ電話システムでは、ＰＢＸの第１の記憶装置が接続要求に対してＩＰ電話の名称情報を出力しているので、従来の電話システムのダイヤルインサービスや代表着信させた中継台からの転送で対応してきた外線着信サービスを、情報端末のインタネットブラウザ上の操作によって行うことが可能となる。
【００１９】
また、本発明のＩＰ電話システムでは、ＰＢＸのグローバルＩＰアドレスを記憶する第２の記憶装置が任意に選び出したＩＰアドレスを接続要求に対して返送しているので、全てのＩＰ電話機の台数分のグローバルＩＰアドレスを用意しなくとも、外部のＩＰ電話機から直接ＩＰ電話システムに収容されるＩＰ電話機に接続することが可能となる。
【００２０】
さらに、本発明のＩＰ電話システムでは、インタネットを介して各種データを提供するＷＥＢサーバが、ＰＢＸに収容される一般電話及びＩＰ電話の使用者名称や部門名を表示し、インタネットブラウザ上に表示された使用者名称や部門名を情報端末から指定するだけで接続が可能となるので、システム内に収容された一般電話及びＩＰ電話の内線番号を知らなくても、外線のＩＰ電話アプリケーションから接続することが可能となる。
【００２１】
さらにまた、本発明のＩＰ電話システムでは、ＩＰ電話機がＬＡＮに接続された時、ＩＰ電話機にＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバからローカルＩＰアドレスが付与されると同時に、ＰＢＸのログイン認証装置によって認証が行われ、第１の記憶装置のログイン情報を自動的に更新することで、ＬＡＮ上に接続されるならば、物理的に離れた場所に移動したとしても、発信者の情報端末が移動を意識することなく、インタネットブラウザから接続要求することが可能となる。
【発明の効果】
【００２２】
本発明は、以下のような構成及び動作とすることで、内線であるＩＰ電話機への外部からの着信をインタネットブラウザ上の操作によって外線着信サービスを行うことができるという効果が得られる。
【発明を実施するための最良の形態】
【００２３】
次に、本発明の実施の形態について図面を参照して説明する。図１は本発明の実施の形態によるＩＰ（Ｉｎｔｅｒｎｅｔ  Ｐｒｏｔｏｃｏｌ）電話システムの構成を示すブロック図である。図１において、ＰＢＸ（Ｐｒｉｖａｔｅ  Ｂｒａｎｃｈ  ｅＸｃｈａｎｇｅ：構内交換機）１はルータ（Ｒｏｕｔｅｒ）２を介してＩＰネットワーク１００に接続されるとともに、ルータ４及びＬＡＮ（Ｌｏｃａｌ  Ａｒｅａ  Ｎｅｔｗｏｒｋ）２００を介してＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ８とＩＰ電話機３１〜３３に接続されている。
【００２４】
また、ＰＢＸ１は従来の音声交換処理技術のスイッチング装置１１と、ＩＰ電話機３１〜３３がＬＡＮ２００にログインすることを認証するログイン認証装置１２と、ＩＰ電話機３１〜３３の名称情報等のＩＰ電話情報を記憶するＩＰ電話情報記憶装置１３と、ＩＰ電話機３１〜３３に付与するグローバルＩＰアドレスを記憶するグローバルＩＰアドレス記憶装置１４とから構成されている。
【００２５】
スイッチング装置１１はルータ２を介して送受信される音声パケットを、ルータ４に収容されているＩＰ電話機３１〜３３に接続する。ログイン認証装置１２はＩＰ電話機３１〜３３がＬＡＮ２００上に接続された時にＰＢＸ１でログイン認証を行う。ＩＰ電話情報記憶装置１３はＰＢＸ１にログインしたＩＰ電話機３１〜３３のＩＰ電話情報を記憶する。グローバルＩＰアドレス記憶装置１４はＩＰ電話機３１〜３３に割り振るグローバルＩＰアドレスを記憶する。
【００２６】
ルータ２にはＷＥＢサーバ５が接続され、ＩＰネットワーク１００にはＩＰルータ３及びＴＡ（Ｔｅｒｍｉｎａｌ  Ａｄａｐｔｅｒ）６を介してＰＣ（パーソナルコンピュータ）２１及び電話機７が接続されている。ＰＣ２１にはＩＰ電話アプリケーションのソフトウェアがインストールされており、ＩＰ電話アプリケーションのソフトウェアがインストール可能であれば、特にＰＣでなくとも、ＰＤＡ（Ｐｅｒｓｏｎａｌ  Ｄｉｇｉｔａｌ  Ａｓｓｉｓｔａｎｔ）等の情報端末でもよい。
【００２７】
ここで、ＬＡＮ２００はＥｔｈｅｒｎｅｔ（Ｒ）で構築されるネットワークである。ＤＨＣＰサーバ８はログインしたＩＰ電話機３１〜３３にローカルＩＰアドレスを付与するサーバである。ＩＰ電話機３１〜３３はＩＰ対応の電話機である。
【００２８】
ＷＥＢサーバ５はログインしたＩＰ電話機３１〜３３の名称情報とローカルＩＰアドレスとを結び付けてＰＣ２１のインタネットブラウザ上に情報表示するためのサーバである。ルータ４はＰＢＸ１内で閉じられたローカルＩＰアドレスが付与されたＩＰ電話機３１〜３３を収容する集線装置である。
【００２９】
本発明の実施の形態によるＩＰ電話システムでは、上記のような構成とすることで、従来の電話システムのダイヤルインサービスや代表着信させた中継台からの転送で対応してきた外線着信サービスを、ＩＰネットワーク１００に接続されたＩＰルータ３に収容されるＰＣ２１のインタネットブラウザ上の操作によって、つまりインタネットブラウザ上にＩＰ電話機３１〜３３の名称情報等のＩＰ電話情報を表示することによって行えるように動作する。
【実施例１】
【００３０】
図２は本発明の一実施例によるＩＰ電話システムの動作を示すシーケンスチャートである。尚、図示していないが、本発明の一実施例によるＩＰ電話システムの構成は上述した図１に示す本発明の実施の形態と同様の構成となっている。これら図１及び図２を参照して本発明の一実施例によるＩＰ電話システムの動作について説明する。
【００３１】
本発明の一実施例によるＩＰ電話システムは、図１に示すように、プログラム制御によって動作するＰＢＸ１と、ルータ２と、ルータ４とから構成されている。ＰＢＸ１はＩＰネットワーク１００との接続を行う接続手段と、ＩＰ電話機３１〜３３またはＤＨＣＰサーバ８及びＷＥＢサーバ５のようなＩＰ端末接続手段とを含んでいる。
【００３２】
ＩＰネットワーク１００との接続を行う接続手段はＩＰネットワーク１００を介して、ルータ３に接続されたＴＡ６に収容されるＰＣ２１とのＩＰ接続を行う。ＩＰ端末接続手段はルータ４に収容されているＩＰ電話機３１〜３３とのＩＰ接続を行う。
【００３３】
ＩＰ電話機３１〜３３はルータ４及びＬＡＮ２００で構築されるネットワークに接続を行うと（図２のａ１）、ＬＡＮ２００上に接続されているＤＨＣＰサーバ８から任意のローカルＩＰアドレスが自動的に付与される（図２のａ２）。
【００３４】
これと同時に、ＰＢＸ１のログイン認証装置１２はＩＰ電話機３１〜３３のローカルＩＰアドレス及びＭＡＣ（Ｍｅｄｉａ  Ａｃｃｅｓｓ  Ｃｏｎｔｒｏｌ）アドレスを、ＩＰ電話情報記憶装置１３に予め記憶されているローカルＩＰアドレス及びＭＡＣアドレスと照らし合わせ、ログイン可能かどうかを判断する（図２のａ３）。
【００３５】
ＰＢＸ１はログイン認証装置１２でＩＰ電話機３１〜３３のログインが認証されると、ＩＰ電話情報記憶装置１３に記憶されているログイン情報を更新する（図２のａ４）。
【００３６】
この状態で、ＰＣ２１がＷＥＢサーバ５に接続するためのＵＲＬ（Ｕｎｉｆｏｒｍ  Ｒｅｓｏｕｒｃｅ  Ｌｏｃａｔｏｒ）を入力して参照要求を行うと（図２のａ５）、ＷＥＢサーバ５は要求された参照要求に対してＰＢＸ１のＩＰ電話情報記憶装置１３のデータを読出す（図２のａ６）。この場合、ＩＰネットワーク１００では入力されたＵＲＬからＷＥＢサーバ５のグローバルＩＰアドレス（１１１．２２２．３３３．１）を導き出して参照要求する。
【００３７】
この時、ＰＢＸ１のＩＰ電話情報記憶装置１３は記憶しているＩＰ電話機３１〜３３の使用者名称や部門名の名称データと、ＩＰ電話システム内でＤＨＣＰサーバ５が各ＩＰ電話機３１〜３３に設定したローカルＩＰアドレスのデータをＷＥＢサーバ５に返送する（図２のａ７）。ＷＥＢサーバ５はＩＰ電話情報記憶装置１３からデータを受信すると、ルータ２を介してＩＰネットワーク１００、ルータ３、ＴＡ６を介してＰＣ２１にデータを送出する（図２のａ８）。
【００３８】
ＰＣ２１はＩＰネットワーク１００、ルータ３、ＴＡ６を介して転送されてきたデータを受信すると、インタネットブラウザ上にＰＢＸ１に収容されるＩＰ電話機３１〜３３の使用者名称や部門名の情報を表示する（図２のａ９）。
【００３９】
ＰＣ２１ではインタネットブラウザ上において、接続したいＩＰ電話機３１〜３３の表示された使用者名称や部門名をマウス等でクリックして指定することによって（図２のａ１０）、当該ＩＰ電話機３１〜３３への接続要求をＷＥＢサーバ５に送信し（図２のａ１１）、ＩＰ電話ソフトウェアのアプリケーションを起動する（図２のａ１２）。
【００４０】
ＷＥＢサーバ５ではＰＣ２１からの接続要求を、ルータ２を介して接続されるＰＢＸ１のスイッチング装置１１に入力する（図２のａ１３）。ＰＣ２１からの接続要求には、ローカルＩＰアドレスを指定したデータが含まれるため、スイッチング装置１１はそのローカルＩＰアドレスにてルータ４に収容されているＩＰ電話機３１〜３３を特定し、そのＩＰ電話機３１〜３３に接続要求を行う（図２のａ１４）。
【００４１】
ＩＰ電話機３１〜３３はスイッチング装置１１から接続要求を受けると、応答コマンドをルータ４を介してスイッチング装置１１に送る（図２のａ１５）。スイッチング装置１１はグローバルＩＰアドレス記憶装置１４に記憶されている任意のグローバルＩＰアドレスを選び出し、当該ＩＰ電話機３１〜３３のＩＰアドレスとしてルータ２、ＩＰネットワーク１００、ルータ３、ＴＡ６を介してＰＣ２１に送信する（図２のａ１６）。
【００４２】
これによって、ＰＣ２１と、インタネットブラウザ上で特定されたＩＰ電話機３１〜３３とが通信を行うことができる（図２のａ１７）。この場合には、ＴＡ６に接続された電話機７を使えば、音声による通信も可能となる。
【００４３】
このように、本実施例では、ＰＢＸ１のＩＰ電話情報記憶装置１３がＰＣ２１からの接続要求に対してＩＰ電話機３１〜３３のＩＰ電話情報を出力することによって、従来の電話システムのダイヤルインサービスや代表着信させた中継台からの転送で対応してきた外線着信サービスを、ＰＣ２１のインタネットブラウザ上の操作によって行うことができる。
【００４４】
また、本実施例では、ＰＢＸ１のスイッチング装置１１がグローバルＩＰアドレス記憶装置１４から任意に選び出したＩＰアドレスをＰＣ２１からの接続要求に対して返送することによって、全てのＩＰ電話機３１〜３３の台数分のグローバルＩＰアドレスを用意しなくとも、外部のＩＰ電話機から直接ＩＰ電話システムに収容されるＩＰ電話機３１〜３３に接続することができる。
【００４５】
さらに、本実施例では、ＷＥＢサーバ５がＰＢＸ１に収容される一般電話及びＩＰ電話の使用者名称や部門名をＰＣ２１に渡して表示させることによって、ＰＣ２１のインタネットブラウザ上に表示された使用者名称や部門名を指定するだけで、ＩＰ電話機３１〜３３に接続することができる。よって、本実施例では、ＩＰ電話システムに収容された一般電話及びＩＰ電話の内線番号を知らなくても、外線のＩＰ電話アプリケーションからＩＰ電話機３１〜３３に接続することができる。
【実施例２】
【００４６】
図３は本発明の他の実施例によるＩＰ電話システムの構成を示すブロック図である。図３において、本発明の他の実施例によるＩＰ電話システムはＰＣ２１及び電話機７をモデム４１及び一般電話網３００を介してＩＰネットワーク１００に接続するようにした以外は本発明の一実施例と同様の構成となっており、同一構成要素には同一符号を付してある。また、同一構成要素の動作は本発明の一実施例と同様である。
【００４７】
このように、ＰＣ２１がＴＡ６及びＩＰルータ３を介してＩＰネットワーク１００に接続されるのではなく、一般電話網３００を介してモデム４１で接続される場合にも、ＰＣ２１においてインタネットブラウザ上で上記と同様の操作を行っても、上述した効果と同等の効果が得られる。
【実施例３】
【００４８】
図４は本発明の別の実施例によるＩＰ電話システムの構成を示すブロック図である。図４において、本発明の別の実施例によるＩＰ電話システムはＩＰ電話機３４〜３６をアクセスポイント９を介してＬＡＮ２００に接続するようにした以外は本発明の一実施例と同様の構成となっており、同一構成要素には同一符号を付してある。また、同一構成要素の動作は本発明の一実施例と同様である。
【００４９】
ＩＰ電話機３４〜３６はアクセスポイント９に対して無線にて接続自在となっており、物理的に離れた場所に移動することもできる。尚、アクセスポイント９はルータ４の機能を合わせ持つようにすることも可能である。
【００５０】
したがって、ＩＰ電話機３４〜３６はＬＡＮ２００に接続されるならば、物理的に離れた場所に移動しても、上述した動作のように、ＤＨＣＰサーバ８からローカルＩＰアドレスが付与され、ＰＢＸ１のログイン認証装置１２によってログインの認証が行われ、ＩＰ電話情報記憶装置１３のログイン情報が更新され、グローバルＩＰアドレス記憶装置１４から任意のグローバルＩＰアドレスが選び出されるので、ＰＣ２１のインタネットブラウザからＩＰ電話機３４〜３６の登録の変更を意識することなく、接続を行うことができる。
【００５１】
このように、本実施例では、ＩＰ電話機３４〜３６がＬＡＮ２００上に接続されるならば、物理的に離れた場所に移動したとしても、発信者のＰＣ２１がＩＰ電話機３４〜３６の移動を意識することなく、インタネットブラウザから接続要求することができる。
【図面の簡単な説明】
【００５２】
【図１】本発明の実施の形態によるＩＰ電話システムの構成を示すブロック図である。
【図２】本発明の一実施例によるＩＰ電話システムの動作を示すシーケンスチャートである。
【図３】本発明の他の実施例によるＩＰ電話システムの構成を示すブロック図である。
【図４】本発明の別の実施例によるＩＰ電話システムの構成を示すブロック図である。
【符号の説明】
【００５３】
１  ＰＢＸ
２，４  ルータ
３  ＩＰルータ
５  ＷＥＢサーバ
６  ＴＡ
７  電話機
８  ＤＨＣＰサーバ
９  アクセスポイント
１１  スイッチング装置
１２  ログイン認証装置
１３  ＩＰ電話情報記憶装置
１４  グローバルＩＰアドレス記憶装置
２１  ＰＣ
３１〜３６  ＩＰ電話機
４１  モデム
１００  ＩＰネットワーク
２００  ＬＡＮ
３００  一般電話網
【図１】
2005033662.tif 000003
【図２】
2005033662.tif 000004
【図３】
2005033662.tif 000005
【図４】
2005033662.tif 000006